(57)【要約】【課題】  積雪地域においてつららが発生しにくいＬＥＤ照明器具を提供する。【解決手段】  ＬＥＤユニット２３の基板２５を器具本体２０における下端部内面２０２に取り付けたので、ＬＥＤ２５１の発する熱を器具本体２０の下端部外面に伝達することができ、器具本体２０の下端部外面が凍るのを防止する。このため、つららの根っことなる部分が器具本体２０の下端部外面に発生して付着するのを防止でき、つららの発生を防止できる。【選択図】  図２
2012009166.tif 000002
【特許請求の範囲】
【請求項１】
光源であるＬＥＤを基板に実装したＬＥＤユニットと、
前記ＬＥＤユニットを内蔵し下方に開口した箱状の器具本体と、を有し、
前記基板を、前記器具本体における下端部内面に取り付けたＬＥＤ照明器具。
【請求項２】
請求項１に記載のＬＥＤ照明器具において、
前記器具本体内部に、前記ＬＥＤユニットの上方に取り付けられている電源トランスに外気を導入する空気流路を設けたＬＥＤ照明器具。
【請求項３】
請求項１または請求項２に記載のＬＥＤ照明器具において、
前記器具本体を、前記ＬＥＤユニットが下端部内面に取り付けられた器具本体下部と、前記器具本体下部の上側に取り付けられて前記電源トランスを内蔵する器具本体上部とから構成し、
前記器具本体下部を熱伝導性が高い材料で形成するとともに、前記器具本体上部を熱伝導性が低い材料で形成したＬＥＤ照明器具。
【発明の詳細な説明】
【技術分野】
【０００１】
本発明は、ＬＥＤを光源に用い、特に屋外での使用に適したＬＥＤ照明器具に関するものである。
【背景技術】
【０００２】
従来より、ＬＥＤを光源に用いた照明器具が提案されている（例えば、特許文献１参照）。
図４に示すように、特許文献１に記載の照明器具１００は、筐体部１０１と、保護用透光板１０２とを有する。また、筐体部１０１の内部には、基板１０３、ＬＥＤ１０４、電源ユニット１０５、反射ユニット１０６が設けられている。
従って、ＬＥＤ１０４から発せられた照明光は、反射ユニット１０６の反射面１０７によって反射して下方へ照射される。
【先行技術文献】
【特許文献】
【０００３】
【特許文献１】特開２００９−１１７３２８号公報（第４図）
【発明の概要】
【発明が解決しようとする課題】
【０００４】
ところで、前述したようなＬＥＤを光源に用いた照明器具を、積雪地帯の屋外で使用する際には、つらら対策が要求される。
すなわち、図５に示すように、従来のＬＥＤ照明器具１１０を、積雪地帯の電柱等の支柱１１４の高所に取付金具１１５により取り付けて、街路灯として使用する場合がある。このようなＬＥＤ照明器具１１０では、器具本体１１１の上面１１２に勾配を付けて雪が落下しやすくしているが、勾配だけでは積雪を完全に防ぐことができない。このため、積もった雪が溶けて雫が器具本体１１１から垂れ落ちる際に、外気で冷やされて凍り始め、つららの根っことなる部分が形成される。そして、この凍ったところにさらに溶けた雪が流れてきて凍る。この繰り返しによりつらら１１３が成長する。
【０００５】
しかしながら、大きくなったつらら１１３がその重量や何らかの衝撃で落下すると、照明器具１１０の下方を通過している歩行者等を傷つけるおそれがあるという問題があった。
【０００６】
本発明は、従来の問題を解決するためになされたもので、積雪地域においてつららが発生しにくいＬＥＤ照明器具を提供することを目的とする。
【課題を解決するための手段】
【０００７】
本発明のＬＥＤ照明器具は、光源であるＬＥＤを基板に実装したＬＥＤユニットと、ＬＥＤユニットを内蔵し下方に開口した箱状の器具本体と、を有し、基板を、器具本体における下端部内面に取り付けたものである。
【０００８】
また、本発明のＬＥＤ照明器具は、器具本体内部に、ＬＥＤユニットの上方に取り付けられている電源トランスに外気を導入する空気流路を設けたものである。
【０００９】
さらに、本発明のＬＥＤ照明器具は、器具本体を、ＬＥＤユニットが下端部内面に取り付けられた器具本体下部と、器具本体下部の上側に取り付けられて電源トランスを内蔵する器具本体上部とから構成し、器具本体下部を熱伝導性が高い材料で形成するとともに、器具本体上部を熱伝導性が低い材料で形成したものである。
【発明の効果】
【００１０】
本発明は、ＬＥＤユニットの基板を器具本体における下端部内面に取り付けたので、ＬＥＤの発する熱を器具本体の下端部外面に伝達することができ、器具本体の下端部外面が凍るのを防止する。このため、つららの根っことなる部分が器具本体の下端部外面に発生して付着するのを防止でき、つららの発生を防止できるという効果を有するＬＥＤ照明器具を提供できる。
【図面の簡単な説明】
【００１１】
【図１】（Ａ）は本発明に係る第１実施形態のＬＥＤ照明器具の平面図であり、（Ｂ）は第１実施形態のＬＥＤ照明器具の側面図
【図２】図１（Ｂ）中ＩＩ−ＩＩ位置の断面図
【図３】本発明に係る第２実施形態のＬＥＤ照明器具の断面図
【図４】従来のＬＥＤ照明器具の断面図
【図５】従来のＬＥＤ照明器具を積雪地帯の屋外で使用した際の問題点を示す斜視図
【発明を実施するための形態】
【００１２】
（第１実施形態）
以下、本発明に係る第１実施形態のＬＥＤ照明器具について、図面を用いて説明する。
図１に示すように、本発明に係る第１実施形態のＬＥＤ照明器具１０は、例えばコンクリート柱１１のような支柱に、取付バンド１２で取り付けて、街路灯として使用することができる。あるいは、支柱と一体の街路灯として使用できる。
【００１３】
図２に示すように、ＬＥＤ照明器具１０は、下方に開口（開口部２１）する箱状の器具本体２０を有する。器具本体２０は、例えば、熱伝導性の良好なアルミダイキャスト製を用いることができる。器具本体２０の下端部内面２０２には、複数個のＬＥＤユニット取付凸部２２が設けられており、このＬＥＤユニット取付凸部２２にＬＥＤユニット２３が取付ネジ２４により固定されている。
なお、器具本体２０は、上に雪が積もりにくいように、上方に尖った錐体形状とするのが望ましい。
【００１４】
ＬＥＤユニット２３は降雨型のものであり、全体矩形状を呈しており、基板２５の前面に複数個の光源であるＬＥＤ２５１が実装されている。ＬＥＤユニット２３は、基板２５の背面が器具本体２０の内面２０２に接触するように斜め下方に向けて取り付けられており、ＬＥＤ２５１の照明光は下向きに照射される。
従って、ＬＥＤ２５１が発生した熱は、基板２５を介して器具本体２０の下端部内面２０２に伝達され、さらに外面に伝達される。
【００１５】
器具本体２０の上部内面には下向きに突出した複数個の電気部品取付ボス２６が設けられており、電気部品取付ボス２６の下面に電源トランス台２７が取付ネジ２８で固定されている。電源トランス台２７の上には、電源トランス２９が取付ネジ３１によって固定されている。電源トランス台２７は、器具本体２０内部空間２０１よりも小さいものであり、電源トランス台２７の周囲には、外気を導入する空気流路としての隙間３２が設けられている。
【００１６】
従って、外気は、器具本体２０の開口部２１から入り、ＬＥＤユニット２３を冷却しながら隙間３２を通って電源トランス台２７の上側に侵入し、電源トランス２９を冷却して外部に抜ける。
【００１７】
以上、説明した本発明に係る第１実施形態のＬＥＤ照明器具１０によれば、ＬＥＤユニット２３の基板２５を器具本体２０における下端部内面２０２に取り付けたので、ＬＥＤ２５１の発する熱を器具本体２０の下端部外面に伝達することができ、器具本体２０の下端部外面が凍るのを防止する。これにより、つららの根っことなる部分が器具本体２０の下端部外面に発生して付着するのを防止でき、つららの発生を防止できる。
【００１８】
また、本発明のＬＥＤ照明器具１０は、器具本体２０に、ＬＥＤユニット２３の上方に取り付けられている発熱部品である電源トランス２９に外気を導入するための空気流路として隙間３２を設けたので、電源トランス２９の発熱を抑えることができる。これにより、器具本体２０の上面に積もった雪が、電源トランス２９が発する熱によって溶けるのを防止して、つららの発生の原因となる水滴の発生を抑えられる。
【００１９】
（第２実施形態）
次に、本発明に係る第２実施形態のＬＥＤ照明器具１０Ｂについて説明する。なお、前述した第１実施形態にかかるＬＥＤ照明器具１０と共通する部位には同じ符号を付して、重複する説明を省略することとする。
【００２０】
図３に示すように、本発明の第２実施形態のＬＥＤ照明器具１０Ｂでは、器具本体２０Ｂが、ＬＥＤユニット２３を取り付けた下端部を有する器具本体下部３３と、器具本体下部３３の上側に取り付けられて電源トランス２９を内蔵する器具本体上部３４とで構成される。そして、器具本体下部３３を熱伝導性が高い材料、例えばアルミダイキャストで形成するとともに、器具本体上部３４を熱伝導性が低い材料、例えば樹脂で形成したものである。
なお、器具本体上部３４は、電気部品取付台ボス２６を取付ネジ２８で器具本体下部３３の天板３５に締結して固定される。
【００２１】
以上、説明した本発明に係る第２実施形態のＬＥＤ照明器具１０Ｂによれば、発熱部品である電源トランス２９を内蔵する器具本体上部３４を熱伝導性が低い材料で形成したので、器具本体２０Ｂの上面に積もった雪が溶けるのを防止して、つららの発生の原因となる水滴の発生を抑えられる。
また、ＬＥＤユニット２３の基板２５を取り付ける器具本体下部３３を熱伝導性の高い材料で形成したので、ＬＥＤ２５１の発する熱を器具本体下部３３の外面に伝達することができ、器具本体下部３３の下端部外面が凍るのを防止する。このため、つららの根っことなる部分が器具本体２０の下端部外面に発生して付着するのを防止でき、つららの発生を防止できる。
【００２２】
なお、本発明のＬＥＤ照明器具は、前述した各実施形態に限定されるものでなく、適宜な変形，改良等が可能である。
例えば、前述した各実施形態において、器具本体２０，２０Ｂを、上に尖った錐形断面を有する箱状部材とした場合を例示したが、本発明は上面が平坦な箱状の器具本体にも適用可能である。
【符号の説明】
【００２３】
１０，１０Ｂ  ＬＥＤ照明器具
２０，２０Ｂ  器具本体
２０２  下端部内面
２１  開口部
２３  ＬＥＤユニット
２５  基板
２５１  ＬＥＤ
２９  電源トランス
３２  隙間（空気流路）
３３  器具本体下部
３４  器具本体上部
【図１】
2012009166.tif 000003
【図２】
2012009166.tif 000004
【図３】
2012009166.tif 000005
【図４】
2012009166.tif 000006
【図５】
2012009166.tif 000007